(57)【要約】      （修正有）【課題】使用角度を容易に調整でき、頂部のソーラーパネルの角度調整を制御でき、太陽に追従し最大限に角度を調整して太陽光を吸収することができる着脱・調整・使用が容易な多機能ソーラー街路灯を提供する。【解決手段】着脱・調整・使用が容易な多機能ソーラー街路灯は、ランプ１及びソーラーパネル１４を備え、ランプの端部に回転軸２が設けられ、回転軸の端部に可動ロッド３が設けられ、回転軸の外側に連結部材が設けられ、連結部材の端部に係止ロッド５が設けられ、係止ロッドの近傍に係止溝６が設けられ、可動ロッドの端部に固定フレーム７が設けられ、可動ロッドの端部に弾性係止具８が設けられ、可動ロッドの外側に固定ロッド９が設けられ、固定ロッドの外周に第１かさ歯車１０が設けられ、第１かさ歯車の近傍に第２かさ歯車１１が設けられ、第１かさ歯車の上方に連結ディスク１２が設けられる。【選択図】図１
0003234247.tif 000002
【実用新案登録請求の範囲】
【請求項１】
ランプ（１）及びソーラーパネル（１４）を備える着脱・調整・使用が容易な多機能ソーラー街路灯であって、
前記ランプ（１）の端部に回転軸（２）が設けられ、回転軸（２）の端部に可動ロッド（３）が設けられ、前記回転軸（２）の外側に連結部材（４）が設けられ、連結部材（４）の端部に係止ロッド（５）が設けられ、係止ロッド（５）の近傍に係止溝（６）が設けられ、前記可動ロッド（３）の端部に固定フレーム（７）が設けられ、前記可動ロッド（３）の端部に弾性係止具（８）が設けられ、前記可動ロッド（３）の外側に固定ロッド（９）が設けられ、固定ロッド（９）の外周に第１かさ歯車（１０）が設けられ、第１かさ歯車（１０）の近傍に第２かさ歯車（１１）が設けられ、前記第１かさ歯車（１０）の上方に連結ディスク（１２）が設けられ、連結ディスク（１２）の外側に連結ロッド（１３）が連結され、前記ソーラーパネル（１４）が連結ロッド（１３）の端部に設けられ、前記固定フレーム（７）の近傍に取付フレーム（１５）が設けられ、取付フレーム（１５）の近傍に位置決めボルト（１６）が連結され、前記取付フレーム（１５）の外側に連結クランプ（１７）が設けられ、連結クランプ（１７）の端部にボルト（１８）が貫通されていることを特徴とする着脱・調整・使用が容易な多機能ソーラー街路灯。
【請求項２】
前記ランプ（１）と可動ロッド（３）とが回転軸（２）を介して回転構造を構成し、回転軸（２）と係止溝（６）とが係止ロッド（５）を介して係合構造を構成することを特徴とする請求項１に記載の着脱・調整・使用が容易な多機能ソーラー街路灯。
【請求項３】
前記可動ロッド（３）と固定フレーム（７）とが弾性係止具（８）を介して係合構造を構成し、可動ロッド（３）の中心軸線と固定フレーム（７）の中心軸線とが互いに重なっていることを特徴とする請求項１に記載の着脱・調整・使用が容易な多機能ソーラー街路灯。
【請求項４】
前記ソーラーパネル（１４）と連結ディスク（１２）とが連結ロッド（１３）を介して伝動構造を構成し、連結ディスク（１２）と第２かさ歯車（１１）とが第１かさ歯車（１０）を介して伝動構造を構成することを特徴とする請求項１に記載の着脱・調整・使用が容易な多機能ソーラー街路灯。
【請求項５】
前記取付フレーム（１５）と固定フレーム（７）とが位置決めボルト（１６）を介して着脱可能構造を構成し、取付フレーム（１５）と固定フレーム（７）とが互いに平行に設けられていることを特徴とする請求項１に記載の着脱・調整・使用が容易な多機能ソーラー街路灯。
【請求項６】
前記連結クランプ（１７）と取付フレーム（１５）とがボルト（１８）を介して着脱可能構造を構成し、ボルト（１８）と連結クランプ（１７）とが互いに垂直であることを特徴とする請求項１に記載の着脱・調整・使用が容易な多機能ソーラー街路灯。
【考案の詳細な説明】
【技術分野】
【０００１】
本考案は、ソーラー街路灯の技術分野に関し、具体的には着脱・調整・使用が容易な多機能ソーラー街路灯に関する。
【背景技術】
【０００２】
ソーラー街路灯は、結晶シリコン太陽電池を用いて電力を供給し、メンテナンスフリーの制御弁式密閉型蓄電池で電力を蓄え、超高輝度ＬＥＤを光源とし、インテリジェント充放電コントローラによって制御され、従来の公共照明用の街路灯を代替し、太陽エネルギーを収集することによって、環境に優しく、エネルギーを節約する。
【０００３】
市場に出回っているソーラー街路灯のほとんどは、取り外して使用することができず、異なる使用位置に容易に取り付けることができず、使用角度を自由に調整することができず、頂部のソーラーパネルのほとんどが固定的に取り付けられるので、太陽エネルギーの吸収を十分に行うことができないという問題があるため、着脱・調整・使用が容易な多機能ソーラー街路灯を提案する。
【考案の概要】
【考案が解決しようとする課題】
【０００４】
本考案の目的は、従来のソーラー街路灯のほとんどが、取り外して使用することができず、使用角度を自由に調整できないという上記背景技術にて提起された問題点を解決するために、着脱・調整・使用が容易な多機能ソーラー街路灯を提供することにある。
【課題を解決するための手段】
【０００５】
上記目的を達成するための本考案の技術的手段は、ランプ及びソーラーパネルを備える着脱・調整・使用が容易な多機能ソーラー街路灯であって、前記ランプの端部に回転軸が設けられ、回転軸の端部に可動ロッドが設けられ、前記回転軸の外側に連結部材が設けられ、連結部材の端部に係止ロッドが設けられ、係止ロッドの近傍に係止溝が設けられ、前記可動ロッドの端部に固定フレームが設けられ、前記可動ロッドの端部に弾性係止具が設けられ、前記可動ロッドの外側に固定ロッドが設けられ、固定ロッドの外周に第１かさ歯車が設けられ、第１かさ歯車の近傍に第２かさ歯車が設けられ、前記第１かさ歯車の上方に連結ディスクが設けられ、連結ディスクの外側に連結ロッドが連結され、前記ソーラーパネルが連結ロッドの端部に設けられ、前記固定フレームの近傍に取付フレームが設けられ、取付フレームの近傍に位置決めボルトが連結され、前記取付フレームの外側に連結クランプが設けられ、連結クランプの端部にボルトが貫通されている。
【０００６】
好ましくは、前記ランプと可動ロッドとが回転軸を介して回転構造を構成し、回転軸と係止溝とが係止ロッドを介して係合構造を構成する。
【０００７】
好ましくは、前記可動ロッドと固定フレームとが弾性係止具を介して係合構造を構成し、可動ロッドの中心軸線と固定フレームの中心軸線とが互いに重なっている。
【０００８】
好ましくは、前記ソーラーパネルと連結ディスクとが連結ロッドを介して伝動構造を構成し、連結ディスクと第２かさ歯車とが第１かさ歯車を介して伝動構造を構成する。
【０００９】
好ましくは、前記取付フレームと固定フレームとが位置決めボルトを介して着脱可能構造を構成し、取付フレームと固定フレームとが互いに平行に設けられている。
【００１０】
好ましくは、前記連結クランプと取付フレームとがボルトを介して着脱可能構造を構成し、ボルトと連結クランプとが互いに垂直である。
【００１１】
従来技術に比べ、本考案の有益な効果は、使用角度を容易に調整でき、頂部のソーラーパネルの角度調整を制御でき、太陽に追従し最大限に角度を調整して太陽光を吸収することができる。
１、この多機能ソーラー街路灯は、ランプを設けており、下方の係止ロッドを回転させることにより、連結部材と回転軸とを回転させ、ランプの角度を容易に調整でき、頂部のかさ歯車の相互伝動により、連結ディスクを回転させることができ、外側の連結ロッドが不規則に設けられる連結ディスクにつれて回転して高さを調整し、頂部のソーラーパネルの角度を調整することができるので、ソーラーパネルの角度を効果的に調整でき、太陽に追従し最大限に太陽光を吸収することができる。
２、この多機能ソーラー街路灯は、連結クランプを設けており、ソーラー街路灯を位置決めボルトを介して壁面に直接取り付けることができ、着脱・使用が容易であり、コンパクトで携帯に便利であり、取付位置を自由に調整でき、異なる使用要求を満たすことができる。
【図面の簡単な説明】
【００１２】
【図１】本考案の側面内部構造図である。
【図２】本考案の係止ロッドと係止溝との連結構造を示す図である。
【図３】本考案の弾性係止具と固定フレームとの連結構造を示す図である。
【図４】本考案の取付フレームと固定フレームとの連結構造を示す図である。
【考案を実施するための形態】
【００１３】
図１〜図４に示すように、本考案に係る着脱・調整・使用が容易な多機能ソーラー街路灯は、ランプ１、回転軸２、可動ロッド３、連結部材４、係止ロッド５、係止溝６、固定フレーム７、弾性係止具８、固定ロッド９、第１かさ歯車１０、第２かさ歯車１１、連結ディスク１２、連結ロッド１３、ソーラーパネル１４、取付フレーム１５、位置決めボルト１６、連結クランプ１７及びボルト１８を備え、ランプ１の端部に回転軸２が設けられ、回転軸２の端部に可動ロッド３が設けられ、回転軸２の外側に連結部材４が設けられ、連結部材４の端部に係止ロッド５が設けられ、係止ロッド５の近傍に係止溝６が設けられ、可動ロッド３の端部に固定フレーム７が設けられ、可動ロッド３の端部に弾性係止具８が設けられ、可動ロッド３の外側に固定ロッド９が設けられ、固定ロッド９の外周に第１かさ歯車１０が設けられ、第１かさ歯車１０の近傍に第２かさ歯車１１が設けられ、第１かさ歯車１０の上方に連結ディスク１２が設けられ、連結ディスク１２の外側に連結ロッド１３が連結され、ソーラーパネル１４が連結ロッド１３の端部に設けられ、固定フレーム７の近傍に取付フレーム１５が設けられ、取付フレーム１５の近傍に位置決めボルト１６が連結され、取付フレーム１５の外側に連結クランプ１７が設けられ、連結クランプ１７の端部にボルト１８が貫通されている。
【００１４】
ランプ１と可動ロッド３とが回転軸２を介して回転構造を構成し、回転軸２と係止溝６とが係止ロッド５を介して係合構造を構成することにより、ランプ１の角度を容易に調整し、角度を自由に調整して固定し、様々な使用要求を満たすことができる。
【００１５】
可動ロッド３と固定フレーム７とが弾性係止具８を介して係合構造を構成し、可動ロッド３の中心軸線と固定フレーム７の中心軸線とが互いに重なっており、可動ロッド３が端部の弾性係止具８を介して固定フレーム７と係合されていることで、ソーラー街路灯が自由に伸縮調整でき、使用長さの調整が容易である。
【００１６】
ソーラーパネル１４と連結ディスク１２とが連結ロッド１３を介して伝動構造を構成し、連結ディスク１２と第２かさ歯車１１とが第１かさ歯車１０を介して伝動構造を構成することにより、ソーラーパネル１４の角度を効果的に調整し、太陽に追従し最大限に太陽光を吸収することができる。
【００１７】
取付フレーム１５と固定フレーム７とが位置決めボルト１６を介して着脱可能構造を構成し、取付フレーム１５と固定フレーム７とが互いに平行に設けられ、上から下に挿入され、位置決めボルト１６を介して固定連結されていることにより、ソーラー街路灯の樹木又はポールへの着脱操作を容易にし、取り付けが安定して使用が容易である。
【００１８】
連結クランプ１７と取付フレーム１５とがボルト１８を介して着脱可能構造を構成し、ボルト１８と連結クランプ１７とが互いに垂直であることで、ソーラー街路灯を柱状体に安定して固定することができ、連結が強固で安定し、着脱が容易である。
【００１９】
動作原理
このソーラー街路灯は、図１〜３に示すように、下方の係止ロッド５を回転させることで、連結部材４と回転軸２とを回転させ、ランプ１の角度を容易に調整でき、その後、係止ロッド５を下方へ引いて連結部材４の内部に沿って下降させるとともに、係止溝６の対応する歯部と互いに係合させることにより、ランプ１の角度を容易に調整し、角度を自由に調整して固定し、様々な使用要求を満たすことができ、次に、ソーラー街路灯を内側あるいは外側へ伸縮させることで、可動ロッド３が、固定フレーム７の内部に沿って自由に調整でき、端部の弾性係止具８を介して固定フレーム７と係止されることにより、ソーラー街路灯が自由に伸縮調整でき、使用長さの調整が容易になり、自動的に係止でき、自ら摺動することがなく操作が容易であり、その後、頂部のかさ歯車の相互伝動により、連結ディスク１２を回転させることができ、外側の連結ロッド１３が不規則に設けられる連結ディスク１２につれて回転して高さを調整し、頂部のソーラーパネル１４の角度を調整することができるので、ソーラーパネル１４の角度を効果的に調整でき、太陽に追従し最大限に太陽光を吸収することができる。
【００２０】
図１及び図４に示すように、ソーラー街路灯を位置決めボルト１６を介して壁面に直接取り付けることができ、着脱・使用が容易であり、コンパクトで携帯に便利であり、取付位置を自由に調整でき、また、連結クランプ１７を追加して、連結クランプ１７をボルト１８を介して取付フレーム１５に連結することもでき、ソーラー街路灯を柱状体に安定して固定することができ、連結が強固で安定し、着脱が容易であり、次に、ソーラー街路灯の固定フレーム７と取付フレーム１５におけるスライドバーとを互いに位置合わせして、上から下に挿入し、位置決めボルト１６を介して固定連結することにより、ソーラー街路灯の樹木又はポールへの着脱操作を容易にし、取り付けが安定して使用が容易であり、取付位置を自由に調整でき、異なる使用要求を満たすことができ、これにより、ソーラー街路灯の使用手順が完了する。
【符号の説明】
【００２１】
１  ランプ
２  回転軸
３  可動ロッド
４  連結部材
５  係止ロッド
６  係止溝
７  固定フレーム
８  弾性係止具
９  固定ロッド
１０  第１かさ歯車
１１  第２かさ歯車
１２  連結ディスク
１３  連結ロッド
１４  ソーラーパネル
１５  取付フレーム
１６  位置決めボルト
１７  連結クランプ
１８  ボルト
【図１】
0003234247.tif 000003
【図２】
0003234247.tif 000004
【図３】
0003234247.tif 000005
【図４】
0003234247.tif 000006